(57)【要約】【課題】外部に放射される電磁波を遮蔽することができ、内外部の衝撃からプラズマディスプレイパネルを保護することができるプラズマディスプレイ装置を提供する。【解決手段】プラズマディスプレイモジュールと、プラズマディスプレイモジュールを前後ケーシングするフロントカバー及びリアカバーとを含む。そして、プラズマディスプレイモジュールは、パネルと、パネルの後面にその一面が固定されて、パネルを支持するシャーシーベースと、パネルの前面に形成されて、パネルの前面に放射される電磁波を遮蔽するメイン遮蔽部と、フロントカバーに形成され、フロントカバーのうちの画像が出力される開放部を覆うように形成されて、メイン遮蔽部及びプラズマディスプレイパネルを保護する強化ガラスとを含む。【選択図】図１
2006201786.tif 000002
【特許請求の範囲】
【請求項１】
プラズマディスプレイモジュールと、前記プラズマディスプレイモジュールを前後ケーシングするフロントカバー及びリアカバーとを含むプラズマディスプレイ装置であって、
前記プラズマディスプレイモジュールは、
プラズマディスプレイパネルと、
前記プラズマディスプレイパネルの後面にその一面が固定されて、前記プラズマディスプレイパネルを支持するシャーシーベースと、
前記プラズマディスプレイパネルの前面に形成されて、前記プラズマディスプレイパネルの前面に放射される電磁波を遮蔽するメイン遮蔽部と、
前記フロントカバーに形成され、前記フロントカバーのうちの画像が出力される開放部を覆うように形成されて、前記メイン遮蔽部及び前記プラズマディスプレイパネルを保護する強化ガラスとを含み、
前記メイン遮蔽部は、
電磁波遮蔽材質からなり、前記プラズマディスプレイパネルの前面に付着される膜形状のフィルターであることを特徴とするプラズマディスプレイ装置。
【請求項２】
前記強化ガラスは、設定された色に着色されていることを特徴とする請求項１に記載のプラズマディスプレイ装置。
【請求項３】
前記プラズマディスプレイモジュールは、前記メイン遮蔽部が形成された前記プラズマディスプレイパネルの側部を囲むように形成されて、前記メイン遮蔽部と前記プラズマディスプレイパネルとの間から放射される電磁波を遮蔽する補助遮蔽部をさらに含むことを特徴とする請求項１に記載のプラズマディスプレイ装置。
【請求項４】
前記補助遮蔽部は、前記メイン遮蔽部に一側が連結され、前記シャーシーベースに他側が連結されて、電磁波遮蔽材質からなる遮蔽部材を含み、
前記シャーシーベースも前記電磁波遮蔽材質からなることを特徴とする請求項３に記載のプラズマディスプレイ装置。
【請求項５】
前記補助遮蔽部の前記電磁波遮蔽材質は、伝導性を有する金属であることを特徴とする請求項４に記載のプラズマディスプレイ装置。
【請求項６】
前記プラズマディスプレイモジュールは、前記シャーシーベースの前記プラズマディスプレイパネルと反対側に形成される補強部材をさらに含み、
前記補助遮蔽部は、前記メイン遮蔽部に一側が連結され、前記補強部材に他側が連結されて、電磁波遮蔽材質からなる遮蔽部材を含み、前記補強部材も前記電磁波遮蔽材質からなることを特徴とする請求項３に記載のプラズマディスプレイ装置。
【請求項７】
前記電磁波遮蔽材質は、伝導性を有する金属であることを特徴とする請求項６に記載のプラズマディスプレイ装置。
【請求項８】
前記プラズマディスプレイモジュールは、
前記メイン遮蔽部と前記補助遮蔽部との間に形成されて、前記メイン遮蔽部及び前記プラズマディスプレイパネルに伝達される衝撃を吸収して電磁波を遮蔽する吸振部をさらに含むことを特徴とする請求項３に記載のプラズマディスプレイ装置。
【請求項９】
前記吸振部は、
弾性材質からなる吸振部材と、
前記吸振部材の外面を囲む金属糸
とを含むことを特徴とする請求項８に記載のプラズマディスプレイ装置。
【請求項１０】
前記吸振部は、前記吸振部材と前記金属糸との間に、難燃性を有する難燃部材をさらに含むことを特徴とする請求項９に記載のプラズマディスプレイ装置。
【発明の詳細な説明】
【技術分野】
【０００１】
本発明はプラズマディスプレイ装置に関し、より詳しくは、パネルの前面から放射される電磁波を効果的に遮蔽することができる、プラズマディスプレイ装置に関する。
【背景技術】
【０００２】
一般に、プラズマディスプレイ装置は、プラズマ放電を利用して所望の画像を実現する装置である。このようなプラズマディスプレイ装置は、電源の供給によるプラズマ放電によって所望の画像が表示されるプラズマディスプレイパネル（ＰＤＰ）と、その前面でプラズマディスプレイパネルを堅固に支持するシャーシーベース（ｃｈａｓｓｉｓ  ｂａｓｅ）と、プラズマディスプレイパネルを駆動するためにシャーシーベースの後面に装着される回路部とを含む。
【０００３】
また、従来のプラズマディスプレイ装置は、このようなプラズマディスプレイモジュール（つまり、プラズマディスプレイパネル、シャーシーベース、そして回路基板が順次に結合されたもの）の前後に各々フロントケース及びリアケースが結合される。そして、フロントケースは、使用者がプラズマディスプレイパネルから出力される画像を見ることができるように開放部を有する。
【０００４】
しかし、従来のプラズマディスプレイ装置は、下記のような問題点がある。すなわち、従来のディスプレイ装置は、有害電磁波が使用者に直接露出される構造からなる。つまり、開放部がフロントケースに存在して、フロントケースが樹脂材質からなるため、プラズマディスプレイパネルの前面から放射される電磁波が樹脂材質のフロントケース及びその開放部を通じて外部に放射される可能性がある。
【０００５】
また、従来のディスプレイ装置は、プラズマディスプレイパネルが外部の衝撃にそのまま露出される脆弱な構造からなる。つまり、外部の衝撃がフロントケースの開放部を通じてプラズマディスプレイパネルの前面に直接加えられる。
【０００６】
また、従来のディスプレイ装置は、プラズマディスプレイパネルが内部の衝撃にもそのまま露出される脆弱な構造からなる。つまり、フロントケース及びプラズマディスプレイパネルが互いに面接触する構造からなるため、装置そのものの振動などによる内部の衝撃がそのままフロントケースを通じてプラズマディスプレイパネルに伝達される。
【発明の開示】
【発明が解決しようとする課題】
【０００７】
本発明は、従来の技術の問題点を解決するためのものであって、本発明の目的は、外部に放射される電磁波を遮蔽することができる、プラズマディスプレイ装置を提供することにある。
【０００８】
本発明の他の目的は、内外部の衝撃からプラズマディスプレイパネルを保護することができる、プラズマディスプレイ装置を提供することにある。
【課題を解決するための手段】
【０００９】
前記目的を達成するために、本発明によるプラズマディスプレイ装置は、プラズマディスプレイモジュールと、プラズマディスプレイモジュールを前後ケーシングするフロントカバー及びリアカバーとを含む。このプラズマディスプレイモジュールは、プラズマディスプレイパネルと、プラズマディスプレイパネルの後面にその一面が固定されて、プラズマディスプレイパネルを支持するシャーシーベースと、プラズマディスプレイパネルの前面に形成されて、プラズマディスプレイパネルの前面に放射される電磁波を遮蔽するメイン遮蔽部と、フロントカバーに形成され、フロントカバーのうちの画像が出力される開放部を覆うように形成されて、メイン遮蔽部及びプラズマディスプレイパネルを保護する強化ガラスとを含み、メイン遮蔽部は、電磁波遮蔽材質からなり、プラズマディスプレイパネルの前面に付着される膜形状のフィルターであることを要旨とする。
【００１０】
また、強化ガラスは、設定された色に着色される。
【００１１】
また、プラズマディスプレイモジュールは、メイン遮蔽部が形成されたプラズマディスプレイパネルの側部を囲むように形成されて、メイン遮蔽部とプラズマディスプレイパネルとの間から放射される電磁波を遮蔽する補助遮蔽部をさらに含むのが好ましい。
【００１２】
補助遮蔽部は、メイン遮蔽部に一側が連結され、シャーシーベースに他側が連結されて、電磁波遮蔽材質からなる遮蔽部材を含み、シャーシーベースも電磁波遮蔽材質からなるのが好ましい。
【００１３】
また、遮蔽部材の電磁波遮蔽材質は、伝導性を有する金属であるのが好ましい。
【００１４】
プラズマディスプレイモジュールは、シャーシーベースのプラズマディスプレイパネルの反対側に形成される補強部材をさらに含み、補助遮蔽部は、メイン遮蔽部に一側が連結され、補強部材に他側が連結されて、電磁波遮蔽材質からなる遮蔽部材を含むこともできる。ここで、電磁波遮蔽材質は、伝導性を有する金属であるのが好ましい。
【００１５】
プラズマディスプレイモジュールは、メイン遮蔽部と補助遮蔽部との間に形成されて、メイン遮蔽部及びプラズマディスプレイパネルに伝達される衝撃を吸収して電磁波を遮蔽する吸振部をさらに含むこともできる。
【００１６】
吸振部は、弾性材質からなる吸振部材、及び吸振部材の外面を囲む金属糸を含むこともできる。
【００１７】
吸振部は、吸振部材と金属糸との間に難燃性を有する難燃部材をさらに含むこともできる。
【発明の効果】
【００１８】
本発明によれば、メイン遮蔽部及び補助遮蔽部が形成されることによって、外部に放射される電磁波を遮蔽することができる利点がある。
【００１９】
また、本発明によれば、強化ガラスが形成されることによって、内外部の衝撃からプラズマディスプレイパネルを保護することができる利点がある。また、強化ガラスは、強化材質で処理された膜形状のフィルムより費用の側面で有利な利点がある。
【００２０】
また、本発明によれば、吸振部が形成されることによって、内外部の衝撃からプラズマディスプレイパネルを保護することができる利点がある。
【００２１】
さらに、本発明の詳細な説明で言及される全ての効果を含む。
【発明を実施するための最良の形態】
【００２２】
以下、図面を参照して、本発明の好ましい実施例を説明する。
【００２３】
図１は本発明の一実施例によるプラズマディスプレイ装置を示した概略図である。
【００２４】
本発明の一実施例によるプラズマディスプレイ装置は、図１に示したように、プラズマディスプレイモジュール（Ｍ）と、フロントカバー７０及びリアカバー６０とを含む。そして、プラズマディスプレイモジュール（Ｍ）は、プラズマディスプレイパネル１０（ＰＤＰ）と、シャーシーベース２０と、メイン遮蔽部３０と、強化ガラス８０とを含む。
【００２５】
プラズマディスプレイパネル１０は、ＰＤＰに電気的に連結された印刷回路基板アセンブリーによって駆動されて、プラズマ放電によって所望の画像を表示する。
【００２６】
シャーシーベース２０は、プラズマディスプレイパネル１０の後面にその一面が固定されて、プラズマディスプレイパネル１０を支持する。このシャーシーベース２０は、薄板の金属材をプレス加工して形成され、この場合、ねじれ及び折曲がり作用力に耐えることができる機械的剛性を有するように、その先端を断面Ｌ字型に切曲げたり、板形状の補強部材をさらに備えることができる。
【００２７】
メイン遮蔽部３０は、プラズマディスプレイパネル１０の前面に形成されて、プラズマディスプレイパネル１０の前面に放射される電磁波を遮蔽する。
【００２８】
このようなメイン遮蔽部３０は、電磁波遮蔽材質からなり、プラズマディスプレイパネル１０の前面全体に付着される膜形状のフィルターであり得る。
【００２９】
強化ガラス８０は、フロントカバー７０に形成され、フロントカバー７０のうちの画像が出力される開放部を覆うように形成されて、外部の衝撃からメイン遮蔽部３０及びプラズマディスプレイパネル１０を保護する。
【００３０】
このような強化ガラス８０は、青色、灰色、黒色などの任意の色に着色される。このように任意の色に着色されると、反射を防止することができ、コントラストを向上させることができ、色座標を改善することができる。
【００３１】
フロントカバー７０及びリアカバー６０は、プラズマディスプレイモジュール（Ｍ）を前後ケーシングして外装を形成する。
【００３２】
また、プラズマディスプレイモジュール（Ｍ）は、補助遮蔽部４０をさらに含むことができる。
【００３３】
補助遮蔽部４０は、メイン遮蔽部３０と電気的に連結されて、プラズマディスプレイパネル１０の側部を囲む。例えば、メイン遮蔽部３０に面接触するように、その先端を断面Ｌ字型に切曲げた遮蔽部材４１を有することもできる。この遮蔽部材４１は、両面テープを使用して強化ガラス８０に付着される。そして、補助遮蔽部４０は、プラズマディスプレイパネル１０から側傍に放射される電磁波を遮蔽する。
【００３４】
このような遮蔽部材４１は、メイン遮蔽部３０に一側が連結され、シャーシーベース２０に他側が連結される。この時、シャーシーベース２０は、電磁波遮蔽材質からなるのが好ましい。さらに、このような遮蔽部材４１の電磁波遮蔽材質は、伝導性を有する金属であり得る。
【００３５】
そして、吸振部５０が、メイン遮蔽部３０と補助遮蔽部４０との間にさらに形成される。つまり、吸振部５０は、メイン遮蔽部３０に接触する一面、及び補助遮蔽部４０に接触する他の一面を有する。そして、吸振部５０は、メイン遮蔽部３０及びプラズマディスプレイパネル１０に伝達される衝撃を減少させることができる。
【００３６】
以下、吸振部５０をさらに詳細に説明する。
【００３７】
図２は本発明の第１実施例によるプラズマディスプレイ装置の吸振部５０を示した斜視図である。
【００３８】
吸振部５０は、吸振部材５１と、吸振部材５１の外面を囲む被覆部材（金属糸）５２とを含む。
【００３９】
さらに、このような吸振部５０は、吸振部材５１と被覆部材５２との間に、吸振部材５１を振動及び熱から保護する難燃部材５３をさらに含むことができる。吸振部材５１は、振動吸収特性が優れたスポンジなどを任意の大きさに切断して使用することができる。特に、吸振部５０がメイン遮蔽部３０と補助遮蔽部４０との間を満たすように吸振部材５１の形状が決定される。
【００４０】
また、被覆部材５２は、吸振部材５１を被覆して、吸振部５０がメイン遮蔽部３０及び補助遮蔽部４０と電気的に連結されるようにする。このために、被覆部材５２は、伝導性が優れた金属からなるのが好ましい。したがって、吸振部５０は、振動を吸収する機能の他に、電磁波を遮蔽する機能を補助することができる。一方、吸振部５０が正確に機能することができるように、被覆部材５２は、一定の剛性を有するのが好ましい。このために、被覆部材５２は、金属糸で吸振部材５１を巻取って形成することもでき、網パターンに編むこともできる。もちろん、被覆部材５２は、吸振部材５１の緩衝の機能を妨害しなければ、薄板で形成することもできる。
【００４１】
難燃部材５３は、難燃性を有する材質からなるのが好ましい。
【００４２】
一方、図示しなかったが、リアカバー６０が電磁波遮断材質からなる場合には、遮蔽部材４１はリアカバー６０に形成されてもよい。
【００４３】
以下、図３を参照して、本発明の他の実施例によるプラズマディスプレイ装置を説明する。
【００４４】
本実施例によるプラズマディスプレイ装置は、前記一実施例と類似しているので、下記では前記実施例と異なる点を中心に説明する。
【００４５】
本実施例によるプラズマディスプレイ装置は、シャーシーベース２００の他面に形成されて、シャーシーベース２００の支持力を補強する補強部材をさらに含む。本実施例では、このような補強部材は、ブラケット形態の補強ブラケット９００で実現される。
【００４６】
この補強ブラケット９００は、シャーシーベース２００の剛性を確保して、その背面に回路ボードアセンブリーを設置することができるようにする。
【００４７】
このために、補強ブラケット９００は、回路ボードアセンブリーの設置空間を提供することができるように形成される。この時、補強ブラケット９００は、スクリューを使用してシャーシーベース２００と連結されることもできる。
【００４８】
したがって、前記一実施例とは異なって、補助遮蔽部４００は、メイン遮蔽部３００に一側が形成され、補強ブラケット９００に他側が形成されて、電磁波遮蔽材質からなる遮蔽部材４１０を含むことができ、この時、補強ブラケット９００は、電磁波遮蔽材質からなるのが好ましい。
【００４９】
このような遮蔽部材４１０の電磁波遮蔽材質は、伝導性を有する金属であり得る。
【００５０】
一方、図示しなかったが、シャーシーベース２００が電磁波遮断材質からなる場合には、遮蔽部材４１０はシャーシーベース２００に形成されてもよい。
【００５１】
また、図示しなかったが、リアカバー６００が電磁波遮断材質からなる場合には、遮蔽部材４１０はリアカバー６００に形成されてもよい。
【００５２】
図１に示した実施例によるプラズマディスプレイ装置に使用された吸振部５０が、図３に示した実施例によるプラズマディスプレイ装置にも吸振部５００として適用される。
【００５３】
以上で、本発明について、その好ましい実施例を中心に見てみたが、本発明が属する技術分野における通常の知識を有する者は、本発明の本質的技術範囲内で前記本発明の詳細な説明とは異なる形態の実施例を実現することができる。ここで、本発明の本質的技術範囲は特許請求の範囲に示されていて、それと同等な範囲内にある全ての差異点は本発明に含まれると解釈されるべきである。
【図面の簡単な説明】
【００５４】
【図１】本発明の一実施例によるプラズマディスプレイ装置を示した概略図である。
【図２】本発明の一実施例によるプラズマディスプレイ装置のうちの吸振部を示した斜視図である。
【図３】本発明の他の実施例によるプラズマディスプレイ装置を示した概略図である。
【符号の説明】
【００５５】
Ｍ  プラズマディスプレイモジュール
１０  プラズマディスプレイパネル
２０  シャーシーベース
３０，３００  メイン遮蔽部
４０，４００  補助遮蔽部
４１，４１０  遮蔽部材
５０，５００  吸振部
５１  吸振部材
５２  被覆部材（金属糸）
５３  難燃部材
６０，６００  リアカバー
７０  フロントカバー
８０  強化ガラス
９００  補強ブラケット
【図１】
2006201786.tif 000003
【図２】
2006201786.tif 000004
【図３】
2006201786.tif 000005